(57)【要約】【課題】  ＡＬＣパネル等の薄型パネルを建築物の躯体に取り付けるための金具であって、壁パネルの表面にビス跡が残らず、かつ面外方向の力に対してパネルの破損を防ぐ性能を兼ね備えた躯体に取り付けるための取付金具と、その取付金具を使用した施工方法が極めて簡単な薄型パネルの取付構造を提供する。【解決手段】  固定金具と把持金具から構成され、該固定金具は建築物の躯体に当接する垂直面からなる基部と、該基部上端から壁外側方向に直角に曲げられた張出部とが断面が逆Ｌ字状に一体成形されて構成され、前記基部にはネジ穴を有し、前記張出部には前記把持金具の支持板を貫通させて支持するための支持孔を有し、一方、前記把持金具は前記支持孔に貫通させて前記張出部に当接して荷重を支える支持板と、前記支持板と直角をなして垂下して先端が爪状をなしている折曲部と、該折曲部と支持板とを繋ぐ断面がコの字状の架橋部とが断面がカギ型に一体成形されて構成されているパネル取付金具を使用する。【選択図】図１
2005325657.tif 000002
【特許請求の範囲】
【請求項１】
建築物の躯体に固定される固定金具とパネルを把持する把持金具から構成されたパネル取付金具であって、該固定金具は建築物の躯体に当接する垂直面からなる基部と、該基部上端から壁外側方向に直角に曲げられた張出部とが断面が逆Ｌ字状に一体成形されて構成され、前記基部には釘もしくはビスを貫通させるためのネジ穴を有し、前記張出部には前記把持金具の支持板を貫通させて支持するための支持孔を有し、一方、前記把持金具は前記支持孔に貫通させて前記張出部に当接して荷重を支える支持板と、前記支持板と直角をなして垂下して先端が爪状をなしている折曲部と、該折曲部と支持板とを繋ぐ断面がコの字状の架橋部とが断面がカギ型に一体成形されて構成されていることを特徴とするパネル取付金具。
【請求項２】
前記把持金具の架橋部の幅が、前記固定金具の張出部の外縁と支持孔までの距離も若干大きく構成されていることを特徴とする請求項１に記載のパネル取付金具。
【請求項３】
前記把持金具の支持板の平面形状が台形をなしており、前記架橋部に接続されている長辺の長さが前記固定金具の支持孔の長辺の長さよりも大きく、かつ架橋部から離れた短辺の長さは前記固定金具の支持孔の長辺の長さよりも小さいことを特徴とする請求項１または請求項２に記載のパネル取付金具。
【請求項４】
前記固定金具の張出部の幅が、取り付けるべきパネルの厚さの３０〜７０％であることを特徴とする請求項１から請求項３のいずれか１項に記載のパネル取付金具。
【請求項５】
請求項１から請求項４のいずれか１項に記載のパネル取付金具を使用し、固定金具を建築物の躯体に取付金具を固定し、前記把持金具の折曲部先端の爪状部分で取り付けるべきパネルの小口面を把持することを特徴とするパネルの取付構造。
【発明の詳細な説明】
【技術分野】
【０００１】
本発明は、木造や軽量鉄骨造の建築物の壁用途に使用される軽量気泡コンクリート（ＡＬＣ）パネルなどの薄型壁パネルを、外壁等の建築物の躯体に取り付けるための金具およびその壁パネルの取付構造に関するものである。
【背景技術】
【０００２】
ＡＬＣパネルは、コンクリートに比べて多孔質であるため軽量性及び断熱性に優れており、これらの特性を生かして建築材料、例えば建物の内外壁用パネルとして広く使用されている。そして、このＡＬＣパネルを建物壁として、柱や間柱などの躯体に取り付ける方法としては、図６に示すように躯体３２に室外側から釘又はビス３７を７〜８ｍｍ打ち込み、パネル３１を固定して釘の頭部に目地材３４を充填する方法が一般的である。この方法によれば、パネル表面に釘又はビス跡が残って外観上見栄えが悪くなる。
また、パネル表面に釘又はビス跡を残さないような取付金具を用いた方法も提案されている（例えば、特許文献１参照。）。この方法は図７に示すように、躯体とパネルを小口面で固着するための爪部を有する取付金具によって取り付ける方法である。すなわち、この取付金具５０は、躯体に上下方向及び／又は左右方向に連設されるパネルを、それらの各パネルの小口面で躯体に取付固定するために使用されるパネルの取付金具であって、躯体に固定される基部５１と、この基部５１からパネル方向に向けて延設され、パネルの小口面間に介在される腕部５２と、この腕部５２から互いに相反する二方向に向けて延設され、上下に隣接するパネルの両小口面に打ち込まれる爪部５３ａ，５３ｂ、５３ｃとからなり、これらの各部は板状の材料により一体に構成されている。
【特許文献１】特開２００２−２４２３４６号公報
【発明の開示】
【発明が解決しようとする課題】
【０００３】
上記の方法は、面外方向に力が加わった場合に取付部の爪部のみがパネルに当接することから、面外方向の荷重をパネルの部分強度で受け持つこととなりパネルが破損する恐れがある。また、取付金具の爪部のみの強度で荷重を受けるため爪部が変形して金具が破損する恐れがある。
また、取付金具を建築物の躯体に取り付けた後、パネルの小口面に取付金具の爪部を取り付ける方法が難しく、作業能率が上がらないという問題があった。
本発明は、壁パネルの表面にビス跡が残らず、かつ面外方向の力に対してパネルの破損を防ぐ性能を兼ね備えた取付金具と、その取付金具を使用した施工方法が極めて簡単な薄型パネルの取付構造を提供することを目的とする。
【課題を解決するための手段】
【０００４】
本発明では、ビス跡が残らず、かつ面外方向の力に対してパネルの破損を防ぐ性能を達成するため、パネルを取り付けるための取付金具は固定金具と把持金具を組み合わせたものとした。固定金具を建築物の躯体に固定した後、パネルを把持金具に押し当てて把持金具を９０度回転させて、把持金具の屈折部先端の爪部がパネルの小口面に当たったら上から叩いてパネルを把持金具に把持させる方法を採用した。
【０００５】
すなわち、本発明のパネルの取付金具は、建築物の躯体に固定される固定金具とパネルを把持する把持金具から構成されたパネル取付金具であって、該固定金具は建築物の躯体に当接する垂直面からなる基部と、該基部上端から壁外側方向に直角に曲げられた張出部とが断面が逆Ｌ字状に一体成形されて構成され、前記基部には釘もしくはビスを貫通させるためのネジ穴を有し、前記張出部には前記把持金具の支持板を貫通させて支持するための支持孔を有し、一方、前記把持金具は前記支持孔に貫通させて前記張出部に当接して荷重を支える支持板と、前記支持板と直角をなして垂下して先端が爪状をなしている折曲部と、該折曲部と支持板とを繋ぐ断面がコの字状の架橋部とが断面がカギ型に一体成形されて構成されたパネル取付金具とした。
このような構造のパネル取付金具とすれば、パネルを把持金具に押し当てるだけで把持金具が９０度回転して、把持金具の屈折部先端の爪部がパネルの小口面に当たるので、上から叩くだけでパネルを把持金具に把持させることができる。
その上、パネル面外方向に力が加わった場合でも荷重をパネルの広い部分で受け持つこととなり、パネルが破損することはない。また、取付金具が破損する恐れもない。さらに、パネル接合部に目地材を充填するのみで良く、ビス跡が残ることもないので外観上も美観に優れた施工が可能となる。
【０００６】
本発明のパネルの取付金具においては、前記把持金具の架橋部の幅が、前記固定金具の張出部の外縁と支持孔までの距離も若干大きく構成することが好ましい。
また、把持金具の支持板は平面形状を台形とし、架橋部に接続されている長辺の長さが前記固定金具の支持孔の長辺の長さよりも大きく、かつ架橋部から離れた短辺の長さは前記固定金具の支持孔の長辺の長さよりも小さくすることが好ましい。
このように構成することにより、固定金具を躯体に固定した後に簡単に把持金具を固定金具に取り付けることができ、かつ取り付けた後把持金具が固定金具から脱落しにくくなるからである。
【０００７】
また、固定金具の張出部の幅は、取り付けるべきパネルの厚さの３０〜７０％とすることが好ましい。
パネル小口を把持金具で把持しても、パネルが破損しない程度に充分な強度を持たせるためである。
【０００８】
本発明のパネルの取付構造は、上述の本発明のパネル取付金具を使用して、固定金具を建築物の躯体に取付金具を固定し、記把持金具の折曲部先端の爪状部分で取り付けるべきパネルの小口面を把持するパネルの取付構造とした。
このようなパネルの取付構造とすれば、パネル上端を取付金具に押し当てるだけで良く、建築現場での作業能率が格段に向上する。その上取付金具の先端部でパネルの小口を挟み込むため、パネル面外方向に力が加わった場合でも荷重をパネルの広い部分で受け持つこととなり、パネルが破損することはない。また、取付金具が破損する恐れもない。さらに、パネル接合部に目地材を充填するのみで良く、ビス跡が残ることもないので外観上も美観に優れた施工が可能となる。
【発明の効果】
【０００９】
本発明によれば、極めて簡単な操作でパネルを取付金具に固定することができる。また、パネルの表面にビス跡が残らず、ビス穴を充填する必要もなくパネルの意匠性が良い施工ができる。また、面外方向の力に対して十分な強度を有して、パネルの破損を防ぐ性能を備えた外壁の施工が可能となる。
【発明を実施するための最良の形態】
【００１０】
以下図面を使用して本発明を詳しく説明する。
図１は、本発明のパネル取付金具の外観斜視図であり、（ａ）は、固定金具と把持金具を一体に組み立てた図、（ｂ）は把持金具のみの斜視図、（ｃ）固定金具のみの斜視図である。
図に示すとおり本発明のパネル取付金具１は、固定金具１０と把持金具２０とが一体に組み合わされて構成されている。図１（ａ）に示すとおり、把持金具２０は平らで台形をなす支持板２１と、支持板と、前記支持板２１と直角をなして垂下して先端が爪状をなしている折曲部２３と、該折曲部２３と支持板２１とを繋ぐ断面がコの字状の架橋部２２とが断面がカギ型になって一体成形されて構成されている。
そして把持金具２０の支持板２１が固定金具１０に設けられた支持孔１３の中に挿入されて取付金具１として一体に構成されている。
【００１１】
各部材の構成を詳しく示すため図２には、把持金具２０を固定金具１０から取り外して横に並べ、平面図と側面図で示す。図中（ａ）と（ｃ）は把持金具を、（ｂ）と（ｃ）は固定金具を示している。平面図（ａ）、（ｂ）に示すように、固定金具１０は長方形平板からなる張出部１２の一方の端に長方形の把持孔１３が開けられている。また、把持金具２０は台形をした平板である支持板２１と、この支持板２１に対して直角方向に垂下する折曲部２３が架橋部２２によって繋がれて構成されている。
【００１２】
支持板２１の架橋部２２端に接続されている長辺の長さＬ１は、固定金具１０の支持孔１３の長辺の長さＬ３よりも大きく、かつ架橋部２２から離れた短辺の長さＬ２は前記固定金具１０の支持孔１３の長辺Ｌ３の長さよりも小さく構成してある。
このような寸法に構成することにより、支持板２１をやや傾けて固定金具１０の把持孔１３に挿入した後は、支持板２１が支持孔１３に繋止されて脱落することはない。
また、把持金具２０の架橋部２２の幅Ｌ５は、把持金具２０の張出部１２の一端と支持孔１３との間の距離Ｌ６よりも僅かに大きく構成しておく。このようにしておけば、後に図３で示すように、パネルを取付金具に押し当てたとき、把持金具２０が９０度回転してパネル小口面に把持金具２０の折曲部２３の先端爪部が当接するようになる。
【００１３】
断面図で見れば、把持金具２０は図２（ｃ）に示すように、支持板２１と折曲部２３とが架橋部２２によって鍵状に繋がって一体構成されている。
一方、固定金具１０は基部１１と張出部１２とが単純な逆Ｌ字型に一体に構成されている。
なお、本発明のパネル取付金具においては固定金具１０の張出部１２の幅を、取り付けるべきパネルの厚さの３０〜７０％とするのが好ましい。
このような寸法関係に構成しておけば、把持金具２０の折曲部２３の先端爪部が当接する、取り付けるべきパネルの厚さのほぼ中央にくるので、面外方向の荷重をパネルの中心部で受け止めるようになるので、パネルが破損したり爪部が変形して金具が破損したりすることもない。
【００１４】
次に、このパネル取付金具の機能について説明する。
図３は本発明のパネル取付金具の断面図であって、（ａ）はパネルを取り付ける前の状態を、（ｂ）はパネルを取り付けた後の状態を示す。
パネルを取り付ける際は、（ａ）に示すように先ず固定金具１０をネジ１８等を使用して建築物の躯体３に固定する。そして把持金具２０の支持板２１を固定金具１０の支持孔１３に挿入して一体に組み合わせておく。この時、パネル２の上端は垂下した支持板２１にほぼ一致させて接する位置になっている。
【００１５】
次いで、パネル２を躯体方向に押しつけると、把持金具２０は図３（ａ）に矢印で示すように、支持孔１３の一端を回転の中心として９０度回転する。把持金具２０の折曲部２３の先端爪部がパネル２の小口面２ａに当接するので上から打ち付けると、図３（ｂ）に示すように把持金具２０の折曲部２３の先端爪部と支持板２１でパネル２を固定し、固定金具１０が躯体３に固定されているのでパネル２を躯体３に固定することになる。
【００１６】
次に、このパネルの取付金具１を使用したパネルの取付構造を図４に示す。
ＡＬＣパネル等の薄型パネルを建築物の躯体に取り付けるために、先ず釘もしくはビス１８で取付金具１を建築物の躯体３に適当な間隔を置いて固定する。次いで、パネル２を取付金具１に押しつけ、パネル２の上端小口面２ａに取付金具１を固定する。  図５は、この取付構造の断面を示す図である。釘もしくはビス１８で取付金具１躯体３に固定した後、パネル２を取付金具１に押しつけて固定する。
最後に取付金具１の表面に目地材１７を充填する。こうすれば、釘もしくはビスの跡が露出することもなく、きれいな目地を構成するので美観に優れたものとなる。
【図面の簡単な説明】
【００１７】
【図１】本発明のパネル取付金具の外観斜視図であって、（ａ）は固定金具と把持金具を一体に組み立てた図、（ｂ）は把持金具の斜視図、（ｃ）固定金具の斜視図である。
【図２】図１に示すパネル取付金具の平面図と側面図であって、（ａ）と（ｃ）は把持金具を、（ｂ）と（ｃ）は固定金具である。
【図３】本発明のパネル取付金具の断面図であって、（ａ）はパネルを取り付ける前の状態を、（ｂ）はパネルを取り付けた後の状態を示す。
【図４】本発明のパネルの取付構造の一例を示す斜視図である。
【図５】本発明のパネルの取付構造の一例を示す断面図である。
【図６】従来のパネルの取付構造の一例を示す断面図である。
【図７】従来のパネルの取付金具の一例を示す外観斜視図である。
【符号の説明】
【００１８】
１・・・・・・・・パネル取付金具、
２・・・・・・・・パネル、
３・・・・・・・・躯体、
１０・・・・・・固定金具、
１１・・・・・・基部、
１２・・・・・・張出部、
１３・・・・・・支持孔、
１４・・・・・・ネジ穴、
２０・・・・・・把持金具、
２１・・・・・・支持板、
２２・・・・・・架橋部、
２３・・・・・・折曲部、
【図１】
2005325657.tif 000003
【図２】
2005325657.tif 000004
【図３】
2005325657.tif 000005
【図４】
2005325657.tif 000006
【図５】
2005325657.tif 000007
【図６】
2005325657.tif 000008
【図７】
2005325657.tif 000009